(57)【要約】【課題】印刷データのラベル設定内容がいずれであっても印刷可能なラベル印刷装置が分散印刷の実行装置として常に扱われることを可能にする、分散印刷方法、プログラム、及び記録媒体を提供すること。【解決手段】分散印刷対象に指定された各プリンターのうち、印刷データのラベル幅サイズに一致する設定ラベル幅が設定されたプリンターに加えて、設定ラベル幅として任意幅が設定されたプリンターにおいても、印刷データが分散印刷される（Ｓ１０５，Ｓ１０６：ＹＥＳ以降）。従って、印刷データのラベル幅サイズがいずれであっても印刷可能なプリンターについては、分散印刷対象に指定され、且つ、設定ラベル幅として任意幅がひとたび設定されれば、印刷データのラベル幅サイズと一致する設定ラベル幅に変更する設定を予め行うこともなく、分散印刷の実行プリンターとして常に扱われる。【選択図】図３
2012053512.tif 000002
【特許請求の範囲】
【請求項１】
コンピュータに接続されている複数のラベル印刷装置に対して印刷データを分散印刷させるための分散印刷方法であって、
前記複数のラベル印刷装置に対して設定ラベル基準がそれぞれ設定される設定ステップと、
前記複数のラベル印刷装置のうち分散印刷対象のラベル印刷装置が指定される指定ステップと、
前記指定ステップで分散印刷対象に指定された各ラベル印刷装置のうち、前記設定ステップで前記印刷データのラベル設定内容に一致する設定ラベル基準が設定されたラベル印刷装置において、前記印刷データが分散印刷される分散印刷ステップと、を備え、
前記設定ステップで設定される設定ラベル基準として任意基準を設け、
前記分散印刷ステップでは、前記指定ステップで分散印刷対象に指定された各ラベル印刷装置のうち、前記設定ステップで設定ラベル基準として任意基準が設定されたラベル印刷装置においても、前記印刷データが分散印刷されること、を特徴とする分散印刷方法。
【請求項２】
請求項１に記載する分散印刷方法であって、
前記分散印刷ステップでは、前記指定ステップで分散印刷対象に指定された各ラベル印刷装置のうち、前記設定ステップで設定された設定ラベル基準が前記印刷データのラベル設定内容を許容するラベル印刷装置においても、前記印刷データが分散印刷されること、を特徴とする分散印刷方法。
【請求項３】
請求項１又は請求項２に記載する分散印刷方法であって、
前記分散印刷ステップでは、前記指定ステップで分散印刷対象外となった各ラベル印刷装置のうち、前記設定ステップで設定ラベル基準として任意基準が設定されたラベル印刷装置においても、前記印刷データが分散印刷されること、を特徴とする分散印刷方法。
【請求項４】
請求項１乃至請求項３のいずれか一つに記載する分散印刷方法を実行させるためのプログラム。
【請求項５】
請求項４に記載するプログラムを記録した前記コンピュータに読み取り可能な記録媒体。
【発明の詳細な説明】
【技術分野】
【０００１】
本発明は、コンピュータに接続されている複数のラベル印刷装置のいずれかに対して印刷ジョブを分散させる、分散印刷方法、プログラム、及び記録媒体に関するものである。
【背景技術】
【０００２】
上記「技術分野」の欄に記載の分散印刷方法に適用できる技術としては、例えば、下記特許文献１に記載された技術がある。
【０００３】
下記特許文献１に記載された技術では、例えば１つのプリントジョブのプリントを複数の画像形成装置により分散して行う分散プリント時に、各分割ジョブで使用する用紙の種類が同じ場合には、各分割ジョブで使用する共通の用紙の種類を入力手段で入力するだけの簡単な操作を行うことにより、選択手段が、受信手段により受信した他装置で使用可能な用紙種類の情報と自装置で使用可能な用紙種類の情報とに基づいて、入力手段により入力された用紙種類と一致する種類の用紙を有する１又は２以上の装置を各分割ジョブに使用する装置として自動的に選択する。これにより、分散プリント時に、各分割ジョブに使用する装置の選択決定の元になる用紙種類情報の選択入力操作を容易なものとすることができる。
【先行技術文献】
【特許文献】
【０００４】
【特許文献１】特開２００２−２３９８０号公報
【発明の概要】
【発明が解決しようとする課題】
【０００５】
しかしながら、上記「技術分野」の欄に記載の分散印刷方法に対して上記特許文献１に記載された技術を適用した場合には、入力されたラベル種類と一致する種類のラベルを有する１又は２以上のラベル印刷装置が分散印刷を実行する装置として自動的に選択されるので、例えば、印刷データのラベル幅サイズがいずれであっても印刷を行うことが可能なラベル印刷装置（以下、「汎用型ラベル印刷装置」という。）がコンピュータに接続されていても、分散印刷を実行する装置として「汎用型ラベル印刷装置」が自動的に必ず選択されるとは限らなかった。
【０００６】
このような場合において、「汎用型ラベル印刷装置」が分散印刷を実行する装置として自動的に必ず選択されるためには、分散印刷を実行しようとするたびに、「汎用型ラベル印刷装置」が有するラベル種類の情報を上記入力されたラベル種類と同じものに予め変更する設定を行わなければならず、再設定の手間が発生してしまう。
【０００７】
そこで、本発明は、上述した点を鑑みてなされたものであり、印刷データのラベル設定内容がいずれであっても印刷可能なラベル印刷装置が分散印刷の実行装置として常に扱われることを可能にする、分散印刷方法、プログラム、及び記録媒体を提供することを課題とする。
【課題を解決するための手段】
【０００８】
この課題を解決するためになされた請求項１に係る発明は、コンピュータに接続されている複数のラベル印刷装置に対して印刷データを分散印刷させるための分散印刷方法であって、前記複数のラベル印刷装置に対して設定ラベル基準がそれぞれ設定される設定ステップと、前記複数のラベル印刷装置のうち分散印刷対象のラベル印刷装置が指定される指定ステップと、前記指定ステップで分散印刷対象に指定された各ラベル印刷装置のうち、前記設定ステップで前記印刷データのラベル設定内容に一致する設定ラベル基準が設定されたラベル印刷装置において、前記印刷データが分散印刷される分散印刷ステップと、を備え、前記設定ステップで設定される設定ラベル基準として任意基準を設け、前記分散印刷ステップでは、前記指定ステップで分散印刷対象に指定された各ラベル印刷装置のうち、前記設定ステップで設定ラベル基準として任意基準が設定されたラベル印刷装置においても、前記印刷データが分散印刷されること、を特徴とする。
【０００９】
また、請求項２に係る発明は、請求項１に記載する分散印刷方法であって、前記分散印刷ステップでは、前記指定ステップで分散印刷対象に指定された各ラベル印刷装置のうち、前記設定ステップで設定された設定ラベル基準が前記印刷データのラベル設定内容を許容するラベル印刷装置においても、前記印刷データが分散印刷されること、を特徴とする。
【００１０】
また、請求項３に係る発明は、請求項１又は請求項２に記載する分散印刷方法であって、前記分散印刷ステップでは、前記指定ステップで分散印刷対象外となった各ラベル印刷装置のうち、前記設定ステップで設定ラベル基準として任意基準が設定されたラベル印刷装置においても、前記印刷データが分散印刷されること、を特徴とする。
【００１１】
また、請求項４に係る発明は、請求項１乃至請求項３のいずれか一つに記載する分散印刷方法を実行させるためのプログラムであること、を特徴とする。
【００１２】
また、請求項５に係る発明は、請求項４に記載するプログラムを記録した前記コンピュータに読み取り可能な記録媒体であること、を特徴とする。
【発明の効果】
【００１３】
すなわち、本発明の分散印刷方法、プログラム、及び記録媒体では、分散印刷対象に指定された各ラベル印刷装置のうち、印刷データのラベル設定内容に一致する設定ラベル基準が設定されたラベル印刷装置に加えて、設定ラベル基準として任意基準が設定されたラベル印刷装置においても、印刷データが分散印刷される。従って、印刷データのラベル設定内容がいずれであっても印刷可能なラベル印刷装置については、分散印刷対象に指定され、且つ、設定ラベル基準として任意基準がひとたび設定されれば、印刷データのラベル設定内容と一致する設定ラベル基準に変更する設定を予め行うこともなく、分散印刷の実行装置として常に扱われることになる。
【００１４】
それに加えて、本発明の分散印刷方法、プログラム、及び記録媒体では、複数のラベルを分散印刷させる際のニーズが適うのであれば、分散印刷対象に指定された各ラベル印刷装置のうち、設定ラベル基準が印刷データのラベル設定内容を許容するラベル印刷装置においても、印刷データを分散印刷させてもよいし、あるいは、分散印刷対象外となった各ラベル印刷装置のうち、設定ラベル基準として任意基準が設定されたラベル印刷装置においても、印刷データを分散印刷させてもよい。
【図面の簡単な説明】
【００１５】
【図１】本発明の一実施形態に係る分散印刷方法を実施するためのラベル印刷システムを表した概略図である。
【図２】分散印刷設定手順を表したフローチャート図である。
【図３】分散印刷処理を表したフローチャート図である。
【図４】分散印刷設定ウィンドウを表した図である。
【図５】分散印刷設定ウィンドウを表した図である。
【図６】分散印刷設定ウィンドウを表した図である。
【図７】分散印刷設定ウィンドウを表した図である。
【図８】本発明の一実施形態に係る分散印刷方法を実施するためのラベル印刷システムを表した概略図である。
【発明を実施するための形態】
【００１６】
［１．本発明の構成］
以下、本発明の一実施形態を図面を用いて説明する。図１は、本発明の一実施形態に係る分散印刷方法を実施するためのラベル印刷システム１を表した概略図である。図１に表されたラベル印刷システム１では、ローカルエリアネットワーク網（ＬＡＮ）２を介して、パーソナル・コンピューター１０１に、第１プリンター１１Ａや第２プリンター１１Ｂや第３プリンター１１Ｃや第４プリンター１１Ｄ等が接続されている。尚、第１プリンター１１Ａや第２プリンター１１Ｂや第３プリンター１１Ｃや第４プリンター１１Ｄ等は、パーソナル・コンピューター１０１にＵＳＢ（Universal Serial Bus）ケーブル等で直接に接続されてもよい。
【００１７】
パーソナル・コンピューター１０１は、本体１０２や、ディスプレイ１０３、キーボード１０４、マウス１０５等を有している。もっとも、パーソナル・コンピューター１０１は、図に表されないが、ＣＰＵ（Central Processing Unit）、ＲＡＭ（Random Access Memory）、ＲＯＭ（Read-Only Memory）等のパーソナル・コンピューター１０１自身を動作させるための基本的なハードウエアを備えている。
【００１８】
第１プリンター１１Ａや第３プリンター１１Ｃは、「ラベルプリンター」であって、テープ状の印刷媒体に対して印刷・カットを行うことにより、ラベルを作成することができるものである。つまり、テープ状の印刷媒体が巻回されたテープカセットを異なる種類のテープカセットに交換することで、ラベル幅サイズが異なるラベルを作成することができる。本実施の形態におけるラベル幅サイズには、３６ｍｍ、２４ｍｍ、１８ｍｍ、１２ｍｍ、９ｍｍ、６ｍｍがある。
【００１９】
第２プリンター１１Ｂや第４プリンター１１Ｄは、「ラベルプリンター」であって、ロール状の印刷媒体に対して印刷・カットを行うことにより、ラベルを作成することができるものである。ロール状の印刷媒体を異なる種類のロール状の印刷媒体に交換することで、ラベル幅サイズが異なるラベルを作成することができる。ここで、本実施の形態におけるロール状の印刷媒体は、用紙幅が１９ｍｍから１０６ｍｍまで（ラベル幅サイズは１５ｍｍから１０２ｍｍ）１ｍｍ単位で選択されることが可能である。そのため、第２プリンター１１Ｂや第４プリンター１１Ｄでは、印刷データのラベル幅サイズがいずれであっても印刷を可能としている。
【００２０】
さらに、第１プリンター１１Ａや第２プリンター１１Ｂや第３プリンター１１Ｃや第４プリンター１１Ｄは、図に表されないが、ＣＰＵ、ＲＡＭ、ＲＯＭ等のプリンター自身を動作させるための基本的なハードウエアをそれぞれ備えており、その一方で、各プリンターのドライバーやエディタツールはパーソナル・コンピューター１０１にインストールされている。
【００２１】
［２．本発明の概要］
本実施の形態に係る分散印刷方法を実施するためのラベル印刷システム１では、パーソナル・コンピューター１０１に接続されている第１プリンター１１Ａや第２プリンター１１Ｂや第３プリンター１１Ｃや第４プリンター１１Ｄに対して印刷データを分散印刷させることができる。
【００２２】
［３．本発明の動作（分散印刷設定）］
印刷データの分散印刷が行われるためには、先ず、ラベル印刷システム１において分散印刷設定が行われる。図２は、分散印刷設定手順が表されたフローチャート図である。
【００２３】
ラベル印刷システム１において分散印刷設定が行われるためには、図２に表されたように、Ｓ１１において、プリンターのプロパティが開かれる。具体的に言えば、本実施の形態では、プリンターのプロパティが開かれると、図４に表された分散印刷設定ウィンドウ４０１がパーソナル・コンピューター１０１のディスプレイ１０３に表示される。分散印刷設定ウィンドウ４０１は、チェック・ボックスの欄４０２や、プリンター名の欄４０３、設定幅（後述する「設定ラベル幅」に相当するもの）の欄４０４、ＯＫのスイッチ・ボタン４０５等を有している。
【００２４】
図２に戻り、プリンターのプロパティが開かれた後は、Ｓ１２において、インストール済みのプリンターが列挙される。具体的に言えば、本実施の形態では、図４に表された分散印刷設定ウィンドウ４０１が有するプリンター名の欄４０３において、パーソナル・コンピューター１０１にドライバーがインストールされた第１プリンター１１Ａや第２プリンター１１Ｂや第３プリンター１１Ｃや第４プリンター１１Ｄの名称が表される。
【００２５】
尚、本実施の形態では、分散印刷設定ウィンドウ４０１が有するプリンター名の欄４０３に表された名称のうち、「第１プリンター」は上記図１の第１プリンター１１Ａの名称を示し、「第２プリンター」は上記図１の第２プリンター１１Ｂの名称を示し、「第３プリンター」は上記図１の第３プリンター１１Ｃの名称を示し、「第４プリンター」は上記図１の第４プリンター１１Ｄの名称を示している。
【００２６】
図２に戻り、インストール済みのプリンターが列挙された後は、Ｓ１３において、プリンターが選択される。具体的に言えば、本実施の形態では、図４に表された分散印刷設定ウィンドウ４０１が有するプリンター名の欄４０３の上において、パーソナル・コンピューター１０１のマウス１０５が右クリックされることにより、プリンターが選択される。
【００２７】
図２に戻り、プリンターが選択された後は、Ｓ１４において、選択されたプリンターの設定ラベル幅が設定される。具体的に言えば、本実施の形態において、上記Ｓ１３で「第２プリンター」が選択されたとすると、図５に表された第２プリンター用の設定ラベル幅ウィンドウ４１１がパーソナル・コンピューター１０１のディスプレイ１０３に表示される。
【００２８】
図５に表されたように、第２プリンター用の設定ラベル幅ウィンドウ４１１は、コンボ・ボックス４１２やＯＫのスイッチ・ボタン４１３等を有している。コンボ・ボックス４１２では、選択可能な設定ラベル幅が一覧表示される。選択可能な設定ラベル幅には、上述した３６ｍｍ、２４ｍｍ、１８ｍｍ、１２ｍｍ、９ｍｍ、６ｍｍに加えて、「ＡＮＹ  ＰＡＰＥＲ」がある。「ＡＮＹ  ＰＡＰＥＲ」とは、設定ラベル幅が任意幅であることを意味する。
【００２９】
例えば、コンボ・ボックス４１２内の「ＡＮＹ  ＰＡＰＥＲ」とＯＫのスイッチ・ボタン４１３とがパーソナル・コンピューター１０１のマウス１０５で順次にクリックされれば、第２プリンター用の設定ラベル幅ウィンドウ４１１が閉じられ、図６に表された分散印刷設定ウィンドウ４０１のように、「第２プリンター」の設定幅の欄４０４において「ＡＮＹ  ＰＡＰＥＲ」が表示される。このようにして、選択された「第２プリンター」の設定ラベル幅が設定される。
【００３０】
本実施の形態では、同様にして、選択された「第４プリンター」の設定ラベル幅が設定されることにより、図６に表された分散印刷設定ウィンドウ４０１のように、「第４プリンター」の設定幅の欄４０４において「ＡＮＹ  ＰＡＰＥＲ」が表示される。
【００３１】
尚、図２のフローチャートにおいて、上記Ｓ１３と上記Ｓ１４とが順次繰り返して実行されれば、新しく選択されたプリンターの設定ラベル幅が連続して設定されることができる。
【００３２】
その後は、図２のＳ１５において、分散印刷対象のプリンターが指定される。具体的に言えば、本実施の形態では、図６に表された分散印刷設定ウィンドウ４０１が有するチェック・ボックスの欄４０２が使用されることにより、分散印刷対象のプリンターが指定される。例えば、分散印刷設定ウィンドウ４０１が有するチェック・ボックスの欄４０２において、上から３つまでのチェック・ボックスがパーソナル・コンピューター１０１のマウス１０５でクリックされると、図７に表された分散印刷設定ウィンドウ４０１が有するチェック・ボックスの欄４０２のようになり、第１プリンターと第２プリンターと第３プリンターとが分散印刷対象のプリンターに指定される。
【００３３】
図２に戻り、分散印刷対象のプリンターが指定された後は、Ｓ１６において、分散印刷設定が保存され、ラベル印刷システム１における分散印刷設定が終了する。具体的に言えば、本実施の形態では、図７に表された分散印刷設定ウィンドウ４０１が有するＯＫのスイッチ・ボタン４０５がパーソナル・コンピューター１０１のマウス１０５でクリックされると、分散印刷設定ウィンドウ４０１に表された分散印刷設定の内容が保存され、分散印刷設定ウィンドウ４０１が閉じられる。
【００３４】
尚、図２に表された分散印刷設定手順においては、上記Ｓ１５は、上記Ｓ１２と上記Ｓ１３との間で実行されてもよい。つまり、分散印刷対象のプリンターの指定（上記Ｓ１５）は、選択されたプリンターの設定ラベル幅の設定（上記Ｓ１３及び上記Ｓ１４）の前で実行されてもよい。
【００３５】
［４．本発明の動作（分散印刷処理）］
次に、ラベル印刷システム１において分散印刷処理が行われる。図３は、分散印刷処理が表されたフローチャート図である。ラベル印刷システム１において分散印刷処理が行われるためには、図３に表されたように、Ｓ１０１において、印刷の指示が行われる。具体的に言えば、本実施の形態では、パーソナル・コンピューター１０１で起動中のエディタツールを介して、印刷の指示が行われる。
【００３６】
印刷の指示が行われた後は、Ｓ１０２において、印刷データの受け取りが行われる。具体的に言えば、本実施の形態では、パーソナル・コンピューター１０１で起動中のエディタツールから送られた印刷データがドライバーによって受け取られる。ここで、印刷データを受け取るドライバーとは、パーソナル・コンピューター１０１で起動中のエディタツールによって当該印刷データに対して設定されたプリンターのドライバーである。
【００３７】
印刷データの受け取りが行われた後は、Ｓ１０３において、印刷データがプリンターコマンドに変換される。具体的に言えば、本実施の形態では、上記Ｓ１０２で印刷データを受け取ったドライバーにおいて、印刷データがプリンターコマンドに変換される。
【００３８】
印刷データがプリンターコマンドに変換された後は、Ｓ１０４において、印刷データからラベル幅サイズが取得される。具体的に言えば、本実施の形態では、上記Ｓ１０２で印刷データを受け取ったドライバーにおいて、印刷データからラベル幅サイズが取得される。
【００３９】
印刷データからラベル幅サイズが取得された後は、Ｓ１０５において、ラベル幅サイズに適合したプリンターの台数が計算される。具体的に言えば、本実施の形態では、上記Ｓ１０２で印刷データを受け取ったドライバーにおいて、上記Ｓ１０４で取得されたラベル幅サイズと上記図２のＳ１６で保存された分散印刷設定の内容とに基づいて、上記Ｓ１０４で取得されたラベル幅サイズに適合したプリンターの台数が計算される。
【００４０】
但し、この計算では、上記図２のＳ１５で指定された分散印刷対象のプリンターの中から、上記図２のＳ１３及びＳ１４によって設定された設定ラベル幅が上記Ｓ１０４で取得されたラベル幅サイズと一致するプリンターの台数がカウントされる。さらに、そ上記図２のＳ１５で指定された分散印刷対象のプリンターの中から、上記図２のＳ１３及びＳ１４によって設定された設定ラベル幅が「ＡＮＹ  ＰＡＰＥＲ」であるプリンターの台数もカウントの対象にされる。例えば、上記Ｓ１０４で取得されたラベル幅サイズが「３６ｍｍ」であり、上記図２のＳ１６で保存された分散印刷設定の内容が上記図７の分散印刷設定ウィンドウ４０１に表されたものであれば、「第１プリンター」と「第２プリンター」の２台がカウントされる。
【００４１】
ラベル幅サイズに適合したプリンターの台数が計算された後は、Ｓ１０６において、ラベル幅サイズに適合したプリンターの台数が１台以上であるか否かが判断される。具体的に言えば、本実施の形態では、上記Ｓ１０２で印刷データを受け取ったドライバーにおいて、この判断が行われる。ここで、ラベル幅サイズに適合したプリンターの台数が１台以上でないと判断された場合には（Ｓ１０６：ＮＯ）、つまり、ラベル幅サイズに適合したプリンターがない場合には、Ｓ１０７に進んで、分散印刷の失敗時の処理が行われる。
【００４２】
すなわち、Ｓ１０７では、印刷データが既定のプリンターに出力される。具体的に言えば、本実施の形態では、パーソナル・コンピューター１０１で起動中のエディタツールによって当該印刷データに対して既に設定がなされたプリンターに印刷データが出力される。その後は、Ｓ２０１に進む。
【００４３】
Ｓ２０１では、ラベル幅サイズが一致しているか否かが判断される。具体的に言えば、本実施の形態では、パーソナル・コンピューター１０１で起動中のエディタツールによって当該印刷データに対して既に設定がなされたプリンターにおいて、セットされているとされる印刷媒体のラベル幅サイズと当該印刷データのラベル幅サイズとが一致しているか否かが判断される。
【００４４】
ここで、ラベル幅サイズが一致していると判断された場合には（Ｓ２０１：ＹＥＳ）、Ｓ２０２に進んで、通常の印刷が行われ、図３に表された分散印刷処理が終了される。具体的に言えば、本実施の形態では、パーソナル・コンピューター１０１で起動中のエディタツールによって当該印刷データに対して既に設定されたプリンターにおいて、通常の印刷が行われる。
【００４５】
一方、上記Ｓ２０１において、ラベル幅サイズが一致していないと判断された場合には（Ｓ２０１：ＮＯ）、Ｓ２０３に進む。Ｓ２０３では、エラー表示が行われる。具体的に言えば、本実施の形態では、パーソナル・コンピューター１０１で起動中のエディタツールによって当該印刷データに対して既に設定されたプリンターにおいて、エラー表示が行われる。
【００４６】
また、上記Ｓ１０６において、ラベル幅サイズに適合したプリンターの台数が１台以上であると判断された場合には（Ｓ１０６：ＹＥＳ）、つまり、ラベル幅サイズに適合したプリンターがある場合には、Ｓ１０８に進む。
【００４７】
Ｓ１０８では、分散枚数が決定される。具体的に言えば、本実施の形態では、上記Ｓ１０２で印刷データを受け取ったドライバーにおいて、当該印刷データからカウントされた印刷ページ数が上記Ｓ１０５で計算されたプリンターの台数で割られることにより、分散枚数が決定される。
【００４８】
分散枚数が決定された後は、Ｓ１０９において、分散先の印刷キューに印刷ジョブが出力される。具体的に言えば、本実施の形態では、印刷データを受け取ったドライバーにおいて、上記Ｓ１０５での計算対象となったプリンターの印刷キューに対して印刷ジョブが出力される。印刷ジョブには、上記Ｓ１０８で決定された分散枚数が含まれる。
【００４９】
分散先の印刷キューに印刷ジョブが出力された後は、各分散先のプリンターにおいて分散印刷が行われる。図３に表された分散印刷処理で言えば、第１分散先のプリンターにおいて、先ず、Ｓ１００１において、プリントモニタによって印刷データが解析され、さらに、Ｓ１００２において、上記Ｓ１０８で決定された分散枚数分の印刷が行われ、図３に表された分散印刷処理が終了される。
【００５０】
第２分散先のプリンターにおいても、同様であり、Ｓ２００１において、プリントモニタによって印刷データが解析され、さらに、Ｓ２００２において、上記Ｓ１０８で決定された分散枚数分の印刷が行われ、図３に表された分散印刷処理が終了される。
【００５１】
尚、例えば、上記Ｓ１０５での計算対象となったプリンターが３台以上であれば、第３以降の各分散先のプリンターにおいても、同様にして、上記Ｓ１０８で決定された分散枚数分の印刷が行われ、図３に表された分散印刷処理が終了される。一方、上記Ｓ１０５での計算対象となったプリンターが１台であれば、第１分散先のプリンターのみにおいて、上記Ｓ１０８で決定された分散枚数分の印刷が行われ、図３に表された分散印刷処理が終了される。
【００５２】
［５．まとめ］
すなわち、本実施の形態に係る分散印刷方法を実施するためのラベル印刷システム１では、上記図２のＳ１５で分散印刷対象に指定された各プリンターのうち、印刷データのラベル幅サイズに一致する設定ラベル幅が設定されたプリンターに加えて、設定ラベル幅として任意幅（「ＡＮＹ  ＰＡＰＥＲ」）が設定されたプリンターにおいても、印刷データが分散印刷される（上記図３のＳ１０５，Ｓ１０６：ＹＥＳ以降）。
【００５３】
従って、印刷データのラベル幅サイズがいずれであっても印刷可能な第２プリンター１１Ｂのように、分散印刷対象に指定され（上記図２のＳ１５）、且つ、設定ラベル幅として任意幅（「ＡＮＹ  ＰＡＰＥＲ」）がひとたび設定されれば（上記図２のＳ１３，１４、上記図７）、印刷データのラベル幅サイズと一致する設定ラベル幅に変更する設定を予め行うこともなく、分散印刷の実行プリンターとして常に扱われることになる。
【００５４】
［６．その他］
尚、本発明は上記実施形態に限定されるものでなく、その趣旨を逸脱しない範囲で様々な変更が可能である。
【００５５】
［６−１．第１変更例］
例えば、本実施の形態に係る分散印刷方法を実施するためのラベル印刷システム１では、複数のラベルを分散印刷させる際のニーズが適うのであれば、上記図２のＳ１５で分散印刷対象に指定された各プリンターのうち、設定ラベル幅が印刷データのラベル幅サイズ以上のプリンターにおいても、印刷データを分散印刷させてもよい（上記図３のＳ１０５，Ｓ１０６：ＹＥＳ以降）。例えば、上記図３のＳ１０４で取得されたラベル幅サイズが「１８ｍｍ」であり、上記図２のＳ１６で保存された分散印刷設定の内容が上記図７の分散印刷設定ウィンドウ４０１に表されたものであれば、「第２プリンター（設定ラベル幅が「ＡＮＹ  ＰＡＰＥＲ」）」と「第３プリンター（設定ラベル幅が「１８ｍｍ」）」に加えて、「第１プリンター（設定ラベル幅が「３６ｍｍ」）」の３台において、印刷データが分散印刷される。
【００５６】
また、本実施の形態に係る分散印刷方法を実施するためのラベル印刷システム１では、複数のラベルを分散印刷させる際のニーズが適うのであれば、上記図２のＳ１５で分散印刷対象の指定から外れた各プリンターのうち、上記図２のＳ１３，１４で設定ラベル幅として任意幅（「ＡＮＹ  ＰＡＰＥＲ」）が設定されたプリンターにおいても、印刷データを分散印刷させてもよい。従って、印刷データのラベル幅サイズがいずれであっても印刷可能な第４プリンター１１Ｄのように、分散印刷対象の指定から外されても（上記図２のＳ１５）、設定ラベル幅として任意幅（「ＡＮＹ  ＰＡＰＥＲ」）がひとたび設定されれば（上記図２のＳ１３，１４、上記図７）、印刷データのラベル幅サイズと一致する設定ラベル幅に変更する設定を予め行うこともなく、分散印刷の実行プリンターとして常に扱われることになる。
【００５７】
［６−２．第２変更例］
また、本実施の形態に係る分散印刷方法を実施するためのラベル印刷システム１では、分散印刷対象の指定基準として、「設定ラベル幅」（「設定ラベル基準」に相当するもの）や、「印刷データのラベル幅サイズ」（「印刷データのラベル設定内容」に相当するもの）や、「任意幅」（「任意基準」に相当するもの）といった、ラベルの幅を使用していた。
【００５８】
この点、分散印刷対象の指定基準として、「設定ラベル長」（「設定ラベル基準」に相当するもの）や、「印刷データのラベル長サイズ」（「印刷データのラベル設定内容」に相当するもの）や、「任意長」（「任意基準」に相当するもの）といったラベルの長さを使用してもよい。
【００５９】
あるいは、分散印刷対象の指定基準として、「設定ラベルＩＤ可否」（「設定ラベル基準」に相当するものであって、ＩＤラベルであるか否かを設定すること）や、「印刷データのラベルＩＤ区別」（「印刷データのラベル設定内容」に相当するものであって、印刷データの用紙種類がＩＤラベルであるか否かということ）や、「任意ＩＤ」（「任意基準」に相当するものであって、ＩＤラベルであるか否かはかまわないこと）といった、ＩＤラベルであるか否かについてを使用してもよい。
【００６０】
［６−３．第３変更例］
また、本実施の形態に係る分散印刷方法を実施するためのラベル印刷システム１では、上記図２の分散印刷設定手順や上記図３の分散印刷処理を実行するためのプログラムがパーソナル・コンピューター１０１にインストールされている。そのインストールの方法は、図８に表されたように、ＣＤ−ＲＯＭ（Compact Disc Read Only Memory）３０２によって行ってもよいし、パーソナル・コンピューター１０１に接続されたインターネット網Ｉを介して専用サイト３０１からの送信ファイル３０２によって行ってもよい。
【符号の説明】
【００６１】
１    ラベル印刷システム
１１Ａ  ラベル印刷装置
１１Ｂ  ラベル印刷装置
１１Ｃ  ラベル印刷装置
１１Ｄ  ラベル印刷装置
１０１  パーソナル・コンピュータ
２０１  ＣＤ−ＲＯＭ
３０２  送信ファイル
４０１  分散印刷設定ウィンドウ
４１１  設定ラベル幅ウィンドウ
【図１】
2012053512.tif 000003
【図２】
2012053512.tif 000004
【図３】
2012053512.tif 000005
【図４】
2012053512.tif 000006
【図５】
2012053512.tif 000007
【図６】
2012053512.tif 000008
【図７】
2012053512.tif 000009
【図８】
2012053512.tif 000010